(57)【要約】【課題】壜型形状の容器に付着した異物や容器内部の欠陥といった異常の有無の検査に適した検査方法を提供する。【解決手段】口元部１ａが絞られた壜型形状に形成され、かつ所定の波長域の照明光に対して透過性を有する容器１の検査方法であって、容器１の口天面１ｃから容器１内に照明光Ｌｉｎを入射させ、照明光が入射した容器１を側方から見た画像をカメラ１２により撮像し、得られた画像に基づいて容器１の異常の有無を判別する。【選択図】図１
2014224807.tif 000002
【特許請求の範囲】
【請求項１】
口元部が絞られた壜型形状に形成され、かつ所定の波長域の照明光に対して透過性を有する容器の検査方法であって、
前記容器の口天面から該容器内に前記照明光を入射させる手順と、
前記照明光が入射した容器を側方から見た画像を撮像手段により撮像する手順と、
前記撮像した画像に基づいて前記容器の異常の有無を判別する手順と、
を備えた容器の検査方法。
【請求項２】
前記照明光として拡散光を前記容器内に入射させる請求項１に記載の容器の検査方法。
【請求項３】
前記入射させる手順では、前記撮像手段に対して前記容器の口天面前部から該容器内に照明光を入射させる請求項１又は２に記載の容器の検査方法。
【請求項４】
前記入射させる手順では、前記撮像手段に対して前記容器の口天面後部から該容器内に照明光を入射させる請求項１又は２に記載の容器の検査方法。
【請求項５】
前記入射させる手順では、前記容器が搬送される所定の搬送経路に沿って配置された照明手段から前記照明光を入射させる請求項１〜４のいずれか一項に記載の容器の検査方法。
【請求項６】
前記照明手段として、複数のＬＥＤが前記搬送経路に沿って配置され、
前記入射させる手順では、前記複数のＬＥＤからの照明光を集光手段により集光させて前記容器内に入射させる請求項５に記載の容器の検査方法。
【請求項７】
前記容器の異常として、前記容器に付着した汚れの有無を判別する請求項１〜６のいずれか一項に記載の容器の検査方法。
【請求項８】
前記容器が、再利用を目的として市場から回収された容器である請求項７に記載の容器の検査方法。
【請求項９】
前記撮像する手順では、前記撮像手段による前記容器の撮影方向における前記容器の背面側に背景板が配置される請求項７又は８に記載の容器の検査方法。
【請求項１０】
前記容器の異常として、前記容器の内部におけるびり欠陥の有無を判別する請求項１又は２に記載の容器の検査方法。
【請求項１１】
前記撮像する手順では、前記容器と前記撮像手段との間に、前記容器から出射する反射光を集光手段により前記撮像手段に導く請求項１０に記載の容器の検査方法。
【請求項１２】
前記入射させる手順では、前記口元部の外周面及び内周面に対する前記照明光の入射を遮光手段により制限する請求項１０又は１１に記載の容器の検査方法。
【請求項１３】
口元部が絞られた壜型形状に形成され、かつ所定の波長域の照明光に対して透過性を有する容器の検査装置であって、
前記容器の口天面から該容器内に照明光が入射するように該容器を照明する照明手段と、
前記照明光が入射した容器を側方から見た画像を撮像する撮像手段と、
前記撮像した画像に基づいて前記容器の異常の有無を判別する判別手段と、
を備えた容器の検査装置。
【請求項１４】
前記照明手段は、前記照明光として拡散光が入射するように前記容器を照明する請求項１３に記載の容器の検査装置。
【請求項１５】
前記照明手段は、前記撮像手段に対して前記容器の口天面前部から該容器内に照明光が入射するように該容器を照明する請求項１３又は１４に記載の容器の検査装置。
【請求項１６】
前記照明手段は、前記撮像手段に対して前記容器の口天面後部から該容器内に照明光が入射するように該容器を照明する請求項１３又は１４に記載の容器の検査装置。
【請求項１７】
所定の搬送経路に沿って前記容器を搬送する搬送手段を備え、
前記照明手段は、前記搬送経路に沿って配置されている請求項１３〜１６のいずれか一項に記載の容器の検査装置。
【請求項１８】
前記照明手段として、複数のＬＥＤが前記搬送経路に沿って配置され、
前記照明手段には、前記複数のＬＥＤからの照明光を集光する集光手段が設けられている請求項１７に記載の容器の検査装置。
【請求項１９】
前記容器の異常として、前記容器に付着した汚れの有無を判別する請求項１３〜１８のいずれか一項に記載の容器の検査装置。
【請求項２０】
前記容器が、再利用を目的として市場から回収された容器である請求項１９に記載の容器の検査装置。
【請求項２１】
前記撮像手段による前記容器の撮影方向における前記容器の背面側に背景板が配置される請求項１９又は２０に記載の容器の検査装置。
【請求項２２】
前記容器の異常として、前記容器の内部におけるびり欠陥の有無を判別する請求項１３又は１４に記載の容器の検査装置。
【請求項２３】
前記容器と前記撮像手段との間に、前記容器から出射する反射光を前記撮像手段に導く集光手段が設けられている請求項２２に記載の容器の検査装置。
【請求項２４】
前記照明手段は、前記口元部の外周面及び内周面に対する前記照明光の入射を制限する遮光手段を備えている請求項２２又は２３に記載の容器の検査装置。
【発明の詳細な説明】
【技術分野】
【０００１】
本発明は、口元部が絞られた壜型形状の容器の検査方法に関する。
【背景技術】
【０００２】
ガラス壜に付着した金属スパッタやスプレーペンキ等の異物を検出する方法として、ガラス壜を側方から照明し、ガラス壜を挟んで照明の反対側に配置された撮像装置により、ガラス壜の透過光による像を撮像し、得られた像の色と、予め登録されている異物の透過光による像の色との比較に基づいて異物の有無を検査する方法が知られている（特許文献１参照）。また、ＰＥＴボトル等の容器の予備成型品である多層構造のプリフォームの検査方法として、プリフォームの口部と対向配置されたリング光源からプリフォームの内部に向けて光を照射し、プリフォーム内部における乱反射の状況をカメラで撮像して、プリフォームの内部に中間層としてのバリア層が存在するか否かを検査する方法も知られている（特許文献２参照）。
【先行技術文献】
【特許文献】
【０００３】
【特許文献１】特開２０１２−６８０３７号公報
【特許文献２】特開２００７−２５６０７６号公報
【発明の概要】
【発明が解決しようとする課題】
【０００４】
特許文献１の検査方法では、異物の付着状況によっては異物を十分に捉えることができない場合がある。例えば、薄い汚れが付着している場合には、透過光による画像内に異物の像が明瞭に現れず、見逃しが生じるおそれがある。また、壜内部のびり等の欠陥に関しても従来の検査方法では検出が困難である。なお、特許文献２は、直径が概略一定でかつ内部にバリア層が中間層として設けられた多層構造のプリフォームを検査対象とし、バリア層にて乱反射が生じるという知見に基づいてバリア層の有無を検査する方法を開示するに過ぎず、口元部が絞られた壜型形状の容器の異物や内部欠陥の検査に関しては、何ら示唆するものではない。
【０００５】
本発明は、壜型形状の容器に付着した異物や容器内部の欠陥といった異常を従来とは異なる手法により検出することが可能な検査方法及び検査装置を提供することを目的とする。
【課題を解決するための手段】
【０００６】
本発明の発明者は、口元部が絞られた壜型形状の容器に対して、その口天面から照明光を入射させた場合、容器の内部を光が屈折及び反射しながら進み、容器外面の汚れや容器の内部のびり欠陥といった異常が存在する箇所にて正常箇所とは異なる屈折や反射を起し、その異常箇所が正常箇所とは異なる色に発色し、あるいは正常箇所よりも輝度の高い反射光が生じることを見出し、かかる知見に基づいて本発明を完成するに至った。
【０００７】
すなわち、本発明の検査方法は、口元部（１ａ；５ａ）が絞られた壜型形状に形成され、かつ所定の波長域の照明光に対して透過性を有する容器（１；５）の検査方法であって、前記容器の口天面（１ｃ；５ｃ）から該容器内に前記照明光（Ｌｉｎ）を入射させる手順と、前記照明光が入射した容器を側方から見た画像を撮像手段（１２；２２）により撮像する手順と、前記撮像した画像に基づいて前記容器の異常の有無を判別する手順と、を備えたものである。
【０００８】
また、本発明の検査装置は、口元部（１ａ；５ａ）が絞られた壜型形状に形成され、かつ所定の波長域の照明光に対して透過性を有する容器（１；５）の検査装置（１０；２０）であって、前記容器の口天面（１ｃ；５ｃ）から該容器内に照明光（Ｌｉｎ）が入射するように該容器を照明する照明手段（１１；２１）と、前記照明光が入射した容器を側方から見た画像を撮像する撮像手段（１２；２２）と、前記撮像した画像に基づいて前記容器の異常の有無を判別する判別手段（１４；２４）とを備えたものである。
【０００９】
本発明によれば、容器に汚れやびり欠陥のような異常が存在すると、その異常箇所で照明光が正常箇所とは異なる屈折や反射を起し、得られる画像内に異常箇所に固有の色や輝度をもった領域が映り込む。そのような領域の有無を検査することにより、容器の異常を精度よく検出することができる。
【００１０】
本発明においては、前記照明光として拡散光を前記容器内に入射させるものとしてもよい。これによれば、容器内を光が次々と屈折及び反射しながら進むようになるので、画像内に異常箇所が発色や輝度の異なる領域としてより明瞭に出現し、それにより異常の検出精度をさらに高めることができる。
【００１１】
本発明の一形態においては、前記撮像手段に対して前記容器の口天面前部から該容器内に照明光を入射させてもよい。これによれば、容器の撮像手段に対向する面に照明光が入射するため、欠陥とはみなされない微小な凹凸や傷等の影響を受けずに欠陥を検出できる。また、本発明の一形態において、前記撮像手段に対して前記容器の口天面後部から該容器内に照明光を入射させてもよい。これによれば、容器後部からの照明により欠陥からの光が容器の側面内を伝播して容器の側方端部に現れるので、欠陥を容易に検出できる。本発明の一形態において、前記容器が搬送される所定の搬送経路（Ｐ）に沿って配置された照明手段（１１、３１、４１）から前記照明光を入射させてもよい。この形態において、前記照明手段として、複数のＬＥＤ（４１ａ）が前記搬送経路に沿って配置され、前記複数のＬＥＤからの照明光を集光手段（４１ｂ）により集光させて前記容器内に入射させてもよい。これによれば、ＬＥＤからの照明光が集光手段により集光され、容器に入射する。したがって、光量のむらを防止して検査精度を向上できる。
【００１２】
本発明の一形態においては、前記容器の異常として、前記容器に付着した汚れの有無を判別するものとしてもよい。汚れが付着した容器の口天面から照明光を入射させた場合、容器内を進む光によりその汚れの付着箇所が正常箇所とは異なる色に発色する。その一因は、容器内を進む光が、汚れの付着箇所で正常箇所とは異なる屈折や反射を示すことにある。そのような性質を利用すれば汚れの有無を精度よく検査することができる。上記形態において、容器は、再利用を目的として市場から回収された容器であってもよい。この種の容器は市場において様々な汚れが付着する可能性があるが、そのような汚れを口天面から入射させた光により画像内に明瞭に出現させ、汚れのある容器を確実に検出し、その再利用前に然るべき対策を施すことができる。さらに、撮像手段による前記容器の撮影方向における前記容器の背面側に背景板（１３）が配置されてもよい。これによれば、照明光によって発色した汚れを背景板との差によってさらに明瞭に画像内に出現させることができる。
【００１３】
本発明の他の形態においては、前記容器の異常として、前記容器の内部におけるびり欠陥の有無を判別するものとしてもよい。容器の内部にびり欠陥が存在すると、容器内を進む光がその欠陥箇所にて高い反射を示し、その反射光を撮像手段で捉えた画像にびり欠陥固有の高い輝度をもった領域が映り込む。このような性質を利用すれば、容器内のびり欠陥の有無を精度よく検査することができる。上記形態においては、前記容器と前記撮像手段との間に、前記容器から出射する反射光を前記撮像手段に導く集光手段（２３Ａ、２３Ｂ）が配置されてもよい。びり欠陥にて生じる反射光の方向は、びり欠陥の向きに応じて異なるが、様々な方向に出射する反射光を集光手段にて撮像手段に導くようにすれば、反射光の捕捉漏れによる検査の見逃しを防ぐことができる。また、前記口元部の外周面及び内周面に対する前記照明光の入射を遮光手段（２６）により制限してもよい。これによれば、口元部の外周面や内周面における反射を抑え、びり欠陥からの反射光を容易に特定して検出精度を高めることができる。
【００１４】
なお、以上の説明では本発明の理解を容易にするために添付図面の参照符号を括弧書きにて付記したが、それにより本発明が図示の形態に限定されるものではない。
【発明の効果】
【００１５】
以上に説明したように、本発明によれば、口元部が絞られた容器の口天面から照明光を入射させた場合、汚れやびり欠陥といった異常が存在する箇所にて特有の屈折や反射が生じ、異常箇所に固有の色や輝度をもった領域が画像内に出現するという性質を利用して、容器の異常の有無を精度よく検査することができる。
【図面の簡単な説明】
【００１６】
【図１】本発明の第１の形態に係る検査装置の要部を示す図。
【図２】図１の検査装置が組み込まれた検査機の平面図。
【図３】第１の形態に係る検査装置により取得された画像の一例を示す図。
【図４】第１の形態に係る検査装置により取得された画像の他の例を示す図。
【図５】本発明の第２の形態に係る検査装置の要部を示す図。
【図６】図５の検査装置に設けられた照明の平面図。
【図７】第２の形態に係る検査装置により取得された画像の一例を示す図。
【図８】第２の形態に係る検査装置により取得された画像の他の例を示す図。
【図９】第３の形態に係る検査装置の要部を示す図。
【図１０】第４の形態に係る検査装置における壜の搬送経路と照明装置との関係を示す図。
【図１１】図１０の照明装置の要部を示す概略図。
【発明を実施するための形態】
【００１７】
（第１の形態）
図１〜図４を参照して本発明の第１の形態に係る検査装置を説明する。第１の形態に係る検査装置１０の要部を図１に示す。検査装置１０は、検査対象の容器としてのガラス壜１の外面に汚れが付着しているか否かを検査する装置として構成されている。ガラス壜（以下、壜と略称することがある。）１は、再利用を目的として市場から回収された空き壜である。壜１は、可視波長域の光に対して透過性を有するガラスにて構成され、かつ口元部１ａが胴部１ｂよりも絞られた形状に形成されている。壜１は壜台２に支持されている。図２に示すように、検査装置１０は、複数（図示例では３個）のスターホイール３Ａ〜３Ｃを備えた容器検査機４の容器搬送経路中に配置される。図２の例では、中間のスターホイール３Ｂの外周における搬送経路に検査装置１０が配置されている。壜台２は、スターホイール３Ｂに取り付けられることにより、スターホイール３Ｂと一体に旋回軸線Ａ１の回りを旋回する。スターホイール３Ｂの旋回動作に連動して、壜台２は不図示の容器自転機構により自身の軸線Ａ２の回りに回転駆動される。
【００１８】
検査装置１０は、壜台２に支持された壜１の口天面１ｃの上方に、口天面１ｃと対向するように配置された照明手段としての照明装置１１と、壜１をその側方、より具体的にはスターホイール３Ｂの中心側から見た画像を撮像する撮像手段としてのカメラ１２と、カメラ１２による撮影方向において壜１の背面側、つまり壜１を挟んでカメラ１２と反対側に配置された背景板１３と、カメラ１２が撮像した画像を処理して汚れの有無を判別する判別手段としての信号処理ユニット１４とを備えている。照明装置１１はＬＥＤを光源として備え、その光源の光軸が壜１の軸線Ａ２と平行となるようにして配置されている。図１に矢印Ｌｉｎで示したように、照明装置１１は、照明光として、スポット状に絞られた白色の拡散光を口天面１ｃに向けて照射する。照明装置１１から照射された光は口天面１ｃから壜１の口元部１ａに入射する。なお、図１では単一の照明装置１１を示すが、実際には、スターホイール３Ｂの旋回軸線Ａ１を中心とする円弧Ｃ（図２参照）に沿って複数の照明装置１１が並べて設けられている。
【００１９】
カメラ１２は、レンズ１２ａが捉えた光学像をＣＣＤやＣＭＯＳ等の撮像素子により電気信号に変換して出力する。カメラ１２は壜１の口元部１ａとほぼ同程度の高さに配置されており、その撮影方向は水平方向から下向きに１０°傾けられた範囲に設定されている。また、カメラ１２の撮像画角θは、壜１の全体を撮像できるように設定されている。背景板１３はアクリル板等にて形成されている。背景板１３の壜１と向い合う面は白色である。
【００２０】
信号処理ユニット１４は、カメラ１２から出力される画像信号に所定の処理を施して検査対象の画像を取得し、その画像内に汚れの像が存在するか否かを所定の検出ロジックに従って判別する。検出ロジックは、一例として次の通りである。壜１の口天面１ｃから入射した光は、屈折と反射とを繰り返して壜１の内部を進みつつ壜１の各所から壜１の外部へ出射するが、壜１に汚れが付着した部分では光の屈折や反射が汚れのない他の部分よりも乱れる。特に、壜１の外面にコーティング層が形成され、そのコーティング層にマーカーペンのような溶剤を含む筆記具で書き込みがなされた場合には、コーティング層が溶剤で侵されて壜１の外面が変質することがある。このような場合にはコーティング層の境界における屈折や反射が顕著に乱れる。そして、そのような乱れが生じることにより、汚れ部分が他の正常な部分とは異なる固有の色で発色する。したがって、汚れの色を予め信号処理ユニット１４に登録しておき、カメラ１２が撮像した画像に登録された色と同一色の部分が存在するか否かを検査し、同一色の部分があればその部分を汚れとして判定する。なお、同一色か否かの判定に関しては、同一色とみなす適度の許容幅が設定されてよい。
【００２１】
汚れが付着した壜１をサンプルとして用意し、検査装置１０によりそのサンプルを撮像した画像の一例を図３及び図４に示す。いずれの画像においても、白丸で囲まれた部分に、汚れの発色部分が映り込んでいることが確認できる。これらの例からも明らかなように、口元部１ａが絞られた形状の壜１であっても、その口天面１ｃから拡散光を入射させることにより、外面に付着した汚れ等の異物を発色させ、その像を確実に捉えて検査精度を向上させることができる。
【００２２】
（第２の形態）
図５及び図６を参照して、本発明の第２の形態に係る検査装置を説明する。第２の形態に係る検査装置２０の要部を図５に示す。検査装置２０は、壜５の口元部５ａにおけるびり欠陥の有無を検査する装置として構成されている。壜５は第１の形態の壜１と同様に、口元部５ａが胴部５ｂよりも絞られた壜型形状を有し、かつ市場から回収されたガラス製の空き壜である。ただし、未使用の新品の壜５のびり欠陥も本形態の検査装置２０の検査対象に含めてよい。また、検査装置２０が容器検査機４の容器搬送経路の適宜の位置に配置されることは第１の形態と同様である。
【００２３】
図５から明らかなように、検査装置２０は、壜５の口天面５ｃの上方に、口天面５ｃと対向するように配置された照明手段としての照明装置２１と、壜５をその側方から見た画像を撮像するカメラ２２と、壜５から様々な方向に出射する反射光Ｌｏｕｔを、図中に実線で示すようにカメラ２２のレンズ２２ａに向かうように屈折させる集光手段としての一対のフレネルレンズ２３Ａ、２３Ｂと、カメラ２２が撮像した画像を処理してびり欠陥の有無を判別する判別手段としての信号処理ユニット２４とを備えている。
【００２４】
照明装置２１は、光源としてのＬＥＤ２５と、そのＬＥＤ２５からの照明光Ｌｉｎが口天面５ｃに集中的に入射するように光路を形成する遮光筒２６とを備えている。ＬＥＤ２５は、白色の拡散光を射出するタイプであり、その光軸が壜５の軸線Ａ２と平行となるようにして配置されている。遮光筒２６は、直径一定の円柱状のコア部２６ａと、そのコア部２６ａと同軸の円筒状に形成された外壁２６ｂとを有し、コア部２６ａと外壁２６ｂとの間にリング状の光路２６ｃが設けられている。コア部２６ａの中心は壜５の軸線Ａ２と一致し、光路２６ｃは口天面５ｃと同形同大である。ＬＥＤ２５は光路２６ｃの上端部に配置される。これにより、ＬＥＤ２５から一定の広がりをもって射出された拡散光が光路２６ｃで反射して壜５の口元部５ａには軸線Ａ２とほぼ平行に拡散光が集中的に入射する。なお、図５では単一のＬＥＤ２５を示すが、実際には、図６に示したように、光路２６ｃには複数（図では５個）のＬＥＤ２５が光路２６ｃに設けられている。ただし、壜５をカメラ２２に向けられる一方の側Ｓａと、カメラ２２に対して反対側を向く他方の側Ｓｂとに区分した場合、ＬＥＤ２５は一方の側Ｓａに限定して配置される。カメラ２２による撮像範囲外に関しては壜５を照明する必要がないためである。なお、複数のＬＥＤ２５を並べる構成に代えて、単一のＬＥＤ２５をカメラ２２に最も近い位置（カメラ２２と壜５の中心とを結ぶ線上）に配置してもよい。
【００２５】
カメラ２２は、第１の形態のカメラ１２と同様に、レンズ２２ａが捉えた光学像をＣＣＤやＣＭＯＳ等の撮像素子により電気信号に変換して出力する。カメラ２２は壜５の口元部５ａとほぼ同程度の高さに配置されており、その撮影方向は概ね水平方向に向けられている。レンズ２２ａの絞りは、壜５の一方の側Ｓａにピントが合えば十分であるため、その限りにおいて被写界深度がなるべく浅くなるように開放端側に設定される。絞りを絞り込んで被写界深度を深く設定すると、壜５の他方の側Ｓｂが一方の側Ｓａと重なるようにしてピントが合った状態で撮像され、びり欠陥の像が却って捉えにくくなるおそれがある。なお、カメラ２２の撮像画角は、検査対象の口元部５ａを撮像できる程度でよい。ただし、口元部５ａ以外の胴部５ｂ等も検査対象に含める場合には、カメラ２２による撮像範囲を広げる必要がある。
【００２６】
信号処理ユニット２４は、カメラ２２から出力される画像信号に所定の処理を施して検査対象の画像を取得し、その画像内にびり欠陥の像が存在するか否かを所定の検出ロジックに従って判別する。検出ロジックは、一例として次の通りである。壜５の口天面５ｃから入射した光は、図５に太い破線Ｌｒで示したように、屈折と反射とを繰り返しながら口元部５ａの内部を進む。口元部５ａにびり欠陥が存在する場合、そのびり欠陥にて光が反射し、その反射光Ｌｏｕｔが口元部５ａから出射する。反射光Ｌｏｕｔの方向は、びり欠陥の向きに応じて変化するが、レンズ２２ａから逸れる方向に進む反射光Ｌｏｕｔであっても、フレネルレンズ２３Ａ、２３Ｂの作用によってレンズ２２ａに向かうように屈折する。そのため、カメラ２２で撮像される画像にはびり欠陥の反射光Ｌｏｕｔに基づいて、相対的に輝度の高い像が映り込む。したがって、びり欠陥に相当する輝度が高い領域が画像内に存在するか否かを検査し、そのような領域があればびり欠陥と判定する。
【００２７】
検査装置２０においては、照明装置２１から壜５に拡散光を入射させているため、壜５に入射した光が次々と屈折及び反射を繰り返しながら壜５内を進む。したがって、びり欠陥にて光が反射し易く、びり欠陥の検出精度を向上させることができる。ちなみに、平行な光を壜５に入射させた場合には、その光が壜５内を真っ直ぐ進む傾向が強くなり、びり欠陥を光が透過して、十分な反射光Ｌｏｕｔが得られないおそれがある。また、遮光筒２６により、口元部５ａの外周面や内周面に対する照明光の直接的な入射を制限し、口天面５ｃに照明光を集中的に入射させているので、口元部５ａの外周面や内周面における反射を抑えることができる。それにより、びり欠陥における反射光を容易に特定し、びり欠陥の検出精度を高めることができる。
【００２８】
口元部５ａ内にびり欠陥が存在する壜５をサンプルとして用意し、検査装置２０によりそのサンプルの口元部５ａを撮像した画像の一例を図７及び図８に示す。いずれの画像においても、白丸で囲まれた部分にびり欠陥に対応した反射光の像が確認できる。なお、図中の白抜きの矩形部分にも反射光の像が存在するが、これらの像は口元部５ａの形状に由来して固有的に生じる反射光に基づく像である。これらの像は、正常な壜５の口元部５ａを撮像した際にも同様に出現するので、正常な壜５の画像をテンプレートとする比較、あるいは差分取得といった画像処理を行うことにより、びり欠陥か否かを判別する対象から容易に除外することができる。
【００２９】
なお、第２の形態に係る検査装置２０においては、フレネルレンズ２３Ａ、２３Ｂに代わる集光手段としてミラーを光路内に設置し、様々な方向の反射光Ｌｏｕｔをミラーで屈折させてレンズ２２ａに導いてもよい。集光手段を廃止し、反射光Ｌｏｕｔが観察される範囲に複数台のカメラ２２を並べてもよい。
【００３０】
（第３の形態）
図９を参照して、本発明の第３の形態に係る検査装置を説明する。第３の形態に係る検査装置３０の要部を図９に示す。検査装置３０は、検査装置１０と同様、壜１の外面に汚れが付着しているか否かを検査する装置として構成されている。検査装置３０は、照明装置３１の位置が、カメラ１２に対して壜１の口天面１ｃの前部に配置されている点で検査装置１０と異なっているが、その他の構成は検査装置１０と同様であり同一の参照符号を付して説明を省略する。検査装置３０は、壜台２に支持された壜１の口天面１ｃの上方、かつカメラ１２に対して口天面１ｃの前部から壜１内に照明光が入射するように壜１を照明する照明手段としての照明装置３１と、カメラ１２と、背景板１３と、信号処理ユニット１４とを備えている。照明装置３１は、ＬＥＤを光源として備え、その光源の光軸が壜１の軸線Ａ２と平行となるようにして配置されている。照明装置３１の構成は、照明装置１１と同様である。
【００３１】
照明装置３１が壜１の前部を上方から照明することで、壜１の前部（壜１の中心よりも前側）に生じた欠陥を検出することができる。カメラ１２に対向する面に照明光が入射するため、後述する良品範囲の微小な凹凸や傷等が生じている場合でも、欠陥を検出することができる。なお、壜台２は軸線Ａ２の回りに回転駆動するため、壜１全体を検査することが可能である。
【００３２】
一方で、照明装置が、カメラ１２に対して壜１の口天面１ｃの上方、かつ後部から壜１内に照明光が入射するように壜１を照明する場合（図１の照明装置１１の位置）、壜１全体に薄く生じた着色汚れを検出できる。このように壜１の後部上方から照明すると、壜１の後部（壜１の中心よりも後側）の欠陥を検出することができる。この欠陥からの光は、壜１の前部の側面を通過する際に、欠陥の位置、種類、濃さ、面積等によってはカメラ１２に撮像されにくくなるおそれがある。この理由の１つとして、壜１の側面に生じている欠陥とはみなされない良品範囲の微小な凹凸や傷等により、後部の欠陥からの特徴的な光が減少すると考えられている。壜１の後部での照明により、欠陥からの光が壜１の側面内を伝播し、壜１の側方端部に現れるため、欠陥を容易に検出することができる（図４参照）。
【００３３】
（第４の形態）
第１及び第３の形態では、照明装置１１、３１がスターホイール３Ｂの旋回軸線Ａ１を中心とする円弧Ｃ（図２参照）、つまり、壜１の搬送経路Ｐに沿って複数の照明装置が並べて設けられるとして説明した。これらの形態では、照明装置１１、３１の照明光として、スポット状に絞られた白色の拡散光を口天面１ｃに向けて照射している。第４の形態では、照明手段としての照明装置４１が、複数のチップ状のＬＥＤ４１ａで構成されている。第４の形態は、第１及び第３の形態とこの点で異なる構成を有している。第４の形態において、第１及び第３の形態と同じ構成のものは同様の参照符号を付して説明を省略する。
【００３４】
図１０は、第４の形態に係る検査装置４０における壜１の搬送経路Ｐと照明装置４１との関係を示す図である。搬送手段としてのスターホイール３Ｂが旋回軸線Ａ１の回りに回転し、搬送経路Ｐに沿って壜１を搬送する。壜１は搬送経路Ｐに沿って移動しつつ、自身の軸線Ａ２の回りに回転駆動される。ＬＥＤ４１ａはチップ状の高輝度ＬＥＤであり、各ＬＥＤ４１ａは、搬送経路Ｐに沿って配置されている。なお、ＬＥＤ４１ａを配置する位置は、壜１の上方前部でもよいし、上方後部でもよい。
【００３５】
図１１は、照明装置４１の要部を示す概略図である。照明装置４１には、複数のＬＥＤ４１ａが多数密着されて基板に配置されている。これにより、検査に必要な光量を確保できる。また、照明装置４１には、複数のＬＥＤ４１ａからの照明光を集光する集光手段としてのロッドレンズ４１ｂが設けられている。ロッドレンズ４１ｂは、円柱形状のレンズで、複数のＬＥＤ４１ａからの光を集光するように搬送経路Ｐに沿って湾曲している。なお、図１１において、ＬＥＤ４１ａとロッドレンズ４１ｂとの関係を明瞭に示すため、紙面向かって左側のロッドレンズ４１ｂを破線で示している。照明装置４１を点灯させると、ＬＥＤ４１ａからの照明光はロッドレンズ４１ｂにより集光され、壜１の口天面１ｃを照射する。これにより、光量のむらを防止して検査精度を向上できる。なお、集光手段はロッドレンズ４１ｂに限られない。例えば、集光手段として、適宜の位置にミラーを配置して照明光を集光してもよい。
【００３６】
本発明は、上述した形態に限定されることなく、種々の変形や変更が施された形態にて実施することができる。例えば、検査対象の異常は、容器外面の汚れや容器内部のびり欠陥に限られない。ピンホール状の成形不良箇所等も本発明により検出することが可能である。本発明の検査装置は、スターホイール式の容器検査機にその一部として組み込まれる例に限らず、独立した単一の検査装置として構成されてもよい。本発明における容器は、口元部が絞られた壜型形状を有し、かつ所定の波長域の照明光に対して透過性を有しているものであれば足りる。例えば、ガラス壜に限らず、合成樹脂製の壜型容器であっても、本発明を適用することができる。照明光は白色光に限らず、容器の口天面から入射して容器の内部を屈折や反射を起こしつつ進むことができる性質をもった光であればよい。例えば、可視域の照明光として、白色光以外にも赤色光等を照明光として利用することもできる。可視域以外にも赤外波長域の光を照明光として利用することもできる。
【００３７】
上述した形態にて説明した検出ロジックはあくまで一例である。検出ロジックは、汚れ部分が発色し、あるいはびり欠陥にて強い反射光が生じるといった容器の異常箇所に生じる色、輝度といった光学的現象に応じて適宜に変更することが可能である。
【符号の説明】
【００３８】
１、５  ガラス壜（容器）
１ａ、５ａ  口元部
１ｂ、５ｂ  胴部
１ｃ、５ｃ  口天面
１０、２０  検査装置
１１、２１、３１、４１  照明装置（照明手段）
１２、２２  カメラ（撮像手段）
１３  背景板
１４、２４  信号処理ユニット（判別手段）
２３Ａ、２３Ｂ  フレネルレンズ（集光手段）
２６  遮光筒（遮光手段）
【図１】
2014224807.tif 000003
【図２】
2014224807.tif 000004
【図５】
2014224807.tif 000005
【図６】
2014224807.tif 000006
【図９】
2014224807.tif 000007
【図１０】
2014224807.tif 000008
【図１１】
2014224807.tif 000009
【図３】
2014224807.tif 000010
【図４】
2014224807.tif 000011
【図７】
2014224807.tif 000012
【図８】
2014224807.tif 000013